(57)【要約】ＤＶＤ＋ＲＷのような所定の記録フォーマットに従って、記録担体にディジタル的に符号化された映像情報を記録する記録装置について開示している。その装置は、リアルタイム情報のパラメータを記述するメタデータを収集するためのユニットを有し、メタデータを記録する。記録担体は、メタデータを認識しない既存の記録装置と互換性がある必要がある。更に、その装置は、隠れた位置が所定の記録フォーマットに従ってデータを記憶するためにアクセス可能でない又はあまりアクセス可能でない記録担体の少なくとも１つの隠れた位置にメタデータを記録するための制御手段を有する。
2006523357.tif 000002
【特許請求の範囲】
【請求項１】
記録担体に所定の記録フォーマット情報に従って、映像のようなディジタル的に符号化されたリアルタイム情報を記録するための装置であって：
前記のディジタル的に符号化されたリアルタイム情報を表すマークを記録するための記録手段；並びに
前記のディジタル的に符号化されたリアルタイム情報のパラメータを有するメタデータを収集するために及び前記所定の記録フォーマットに従ってデータを記憶するために隠れた位置がアクセス可能でない又はあまりアクセス可能でない、前記記録担体の少なくとも１つの隠れた位置に前記メタデータを記録することを制御するために、適合される制御手段；
を有することを特徴とする装置。
【請求項２】
請求項１に記載の装置であって、前記制御手段は前記の隠れた位置としての制御領域に前記メタデータを記録するために適合され、その制御領域は前記のディジタル的に符号化されたリアルタイム情報を有するために所定の記録フォーマットに従って与えられるデータ領域から分離される、ことを特徴とする装置。
【請求項３】
請求項２に記載の装置であって、前記制御手段は、引き出し領域の前に前記所定の記録フォーマットに従って与えられるアンカーポイント近くの、又は前記記録担体の記録可能領域の周辺近くの所定位置の前記制御領域に位置決めするように適合される、ことを特徴とする装置。
【請求項４】
請求項３に記載の装置であって、前記制御手段は、前記メタデータを参照する位置ポインタを記録するために又は前記所定の記録フォーマットに従って記録されたアイテムに対する所定のオフセットにおいて前記メタデータを記録するために適合される、ことを特徴とする装置。
【請求項５】
請求項４に記載の装置であって、前記制御手段は、前記所定の記録フォーマットに従って記録された所定の制御データ（ＶＲＭＩバックアップ）のバックアップコピーに対する前記所定のオフセットにおいて前記メタデータを記録するために適合される、ことを特徴とする装置。
【請求項６】
請求項２に記載の装置であって、前記制御手段は、前記所定の記録フォーマットに従って与えられる引き出し領域又は引き込み領域における選択された領域において前記制御領域を位置決めするように適合され、前記選択された領域は前記所定の記録フォーマットに従って情報を記録するために意図されていない、ことを特徴とする装置。
【請求項７】
請求項６に記載の装置であって、前記制御手段は、バッファ領域、予約領域又はガード領域である前記選択された領域に前記制御領域を位置決めするように適合される、ことを特徴とする装置。
【請求項８】
請求項１に記載の装置であって、前記制御手段は：
前記所定の記録フォーマットに従って与えられるリアルタイム記憶単位であって、該リアルタイム記憶単位は符号化リアルタイム情報又はナビゲーション情報の所定パックを有するリアルタイム記憶単位、におけるユーザデータパックにおいて前記メタデータを記録するために；及び
ユーザデータパック、所定のパックにおけるスタッフィング位置又はナビゲーションパックにおける予約フィールドにおいてユーザデータパックに前方及び／又は後方ポインタを記憶することにより前記の少なくとも１つの隠れた位置における前記ユーザデータパックにポインタを記憶することにより前記ユーザデータパックへのアクセスを与えるために；又は
所定位置において、又は前記所定の記録フォーマットが前記所定位置に記録される他の情報を必要とするイベントにおける前記所定位置近傍の位置において、前記記録中に前記ユーザデータパックを特別に位置決めすることにより前記ユーザデータパックへのアクセスを与えるために；
適合されている、ことを特徴とする装置。
【請求項９】
請求項８に記載の装置であって、前記制御手段は、異なる隠れた位置において少なくとも１つの前記ユーザデータパックを繰り返して記録するように適合されている、ことを特徴とする装置。
【請求項１０】
請求項１に記載の装置であって、前記制御手段は、前記メタデータの少なくとも一部のためのエラー検出コードを計算するために及び前記メタデータを有する前記エラー検出コードを記録するために適合されている、ことを特徴とする装置。
【請求項１１】
請求項１に記載の装置であって、前記制御手段は、他の隠れた位置、即ち、ディジタル的に符号化されたリアルタイム情報における隠れた位置に、メタデータを又は記憶された前記メタデータにポインタを記録するように適合されている、ことを特徴とする装置。
【請求項１２】
請求項１１に記載の装置であって、前記制御手段は、他の隠れた位置、即ち、ＭＰＥＧ−２映像エレメンタリーストリームのユーザデータにおける隠れた位置に、メタデータを又は記憶された前記メタデータにポインタを記録するように適合されている、ことを特徴とする装置。
【請求項１３】
記録担体に情報を記録する方法であって：
前記のディジタル的に符号化されたリアルタイム情報を表すマークを記録する段階；  前記のディジタル的に符号化されたリアルタイム情報のパラメータ表すメタデータを収集する段階；及び
前記所定の記録フォーマットに従ってデータを記憶するために隠れた位置がアクセス可能でない又はあまりアクセス可能でない、前記記録担体の少なくとも１つの隠れた位置に前記メタデータを記録する段階；
を有することを特徴とする方法。
【請求項１４】
情報を記録するためのコンピュータプログラムであって、該プログラムは処理器が請求項１３に記載の方法を実行するように機能する、ことを特徴とするコンピュータプログラム。
【請求項１５】
記録担体から情報を検索するための装置であって：
所定の記録フォーマットに従って、映像のようなディジタルために符号化されるリアルタイム情報を表すマークを読み取るための読み取り手段；及び
制御手段；
を有する装置であり、
前記所定の記録フォーマットに従ってデータを記憶するために隠れた位置がアクセス可能でない又はあまりアクセス可能でない、前記記録担体の少なくとも１つの隠れた位置
からディジタル的に符号化されたリアルタイム情報のパラメータを表すメタデータを収集する；
ことを特徴とする装置。
【請求項１６】
マークを担持するトラックを有する記録担体であって、そのマークは：
所定の記録フォーマットに従った、映像のようなディジタル的に符号化されたリアルタイム情報；及び
前記所定の記録フォーマットに従ってデータを記憶するために隠れた位置がアクセス可能でない又はあまりアクセス可能でない、前記記録担体の少なくとも１つの隠れた位置に位置決めされるメタデータ；
を表すことを特徴とする記録担体。
【発明の詳細な説明】
【技術分野】
【０００１】
本発明は、情報を記録するための装置に関する。
【０００２】
本発明は、情報を記録する方法に更に関する。
【０００３】
本発明は、情報を記録するためのコンピュータプログラムプロダクトに更に関する。
【０００４】
本発明は、記録担体から情報を検索するための装置に更に関する。
【０００５】
本発明は、記録担体に更に関する。
【背景技術】
【０００６】
記録担体に情報を記録するための装置及び方法については、欧州特許出願公開第１０５２６４４Ａ１号明細書に記載されており、その特許文献において、圧縮された映像データは、映像符号化規格であって、例えば、ＭＰＥＧフォーマットに従って光ディスクに記録される。制御及びナビゲーション情報を有する映像情報は、所定の記録フォーマットであって、特に、ＤＶＤ（Ｄｉｇｉｔａｌ  Ｖｅｒｓａｔｉｌｅ  Ｄｉｓｃ）映像記録フォーマットに従って記憶される。装置は、映像情報を受信するための入力手段と、記録担体におけるパケットのストリームであって、特に、映像ファイルにおける映像ユニット煮映像情報を記録するための記録手段とを有する。サムネイル制御情報は、映像データのコンテンツに基づいて生成されるサムネイル画像を生成するための情報と、映像データのコンテンツに対応するメニューにおいてサムネイルピクチャを用いるための情報とを有する。サムネイルデータは、所定の映像記録フォーマットに付加されたサムネイルアクセス制御情報によりアクセス可能である。既知のシステムの問題は、既存で所定の映像記録フォーマットがサムネイル情報を収容するために適合される必要があること、及び、適合化方法を認識していない既存の記録装置がサムネイルアクセス制御情報を誤って消去し得ることである。
【発明の開示】
【発明が解決しようとする課題】
【０００７】
本発明の目的は、ディジタル的に符号化されたリアルタイムの情報を記録及び再生するためのシステムであって、付加的コンテンツ記述情報を収容することができ、所定の記録フォーマットに従って動作する既存の記録及び再生装置と互換性があるシステムを提供することである。
【課題を解決するための手段】
【０００８】
この目的のために、記録担体に情報を記録するための装置は、ディジタル的に符号化されたリアルタイムの情報であって、特に、所定の記録フォーマットに従った映像を表すマークを記録するための記録手段と、リアルタイムの情報のパラメータを記述するメタデータを収集するため、及び、所定の記録フォーマットに従ってデータを記憶するために隠れた位置にアクセスすることができない又はあまりアクセスしそうにない記録担体の少なくとも１つの隠れた位置にメタデータを記録するための制御手段とを有する。
【０００９】
メタデータは、マルチメディアコンテンツについての記述情報と、例えば、映像及び／又は音声等のリアルタイム情報のパラメータを有する付加情報とを有する。メタデータは、既存のフォーマットにより与えられる制御情報及びコンテンツデータの既存のフレームワークと共に用いられない又はあまり用いられそうにない隠れた位置に記憶される。これは、メタデータが既存の記録又は再生装置に悪影響を及ぼさず、そのような装置により通常誤って消去又は損傷されることがない優位性を有する。
【００１０】
本発明は又、次の認識に基づいている。本発明者は、現在の映像処理システムが高性能なユーザ機能に対して記録／再生システムにおいて適切な種々のタイプのコンテンツ記述データを生成することができることを理解している。メタデータは、例えば、キーフレーム、コマーシャルエントリ、サイレンス、キーワード等のようなマルチメディアコンテンツの特定な特徴を記述する、又はそれらの特徴について記述可能である。マルチメディアフレームに対するメタデータエントリは、即座に又は映像処理において用いられるアルゴリズムの統計的性質によりもたらされる遅延を伴って利用可能である。通常、メタデータはブロードキャストマルチメディアにおいて利用可能ではないが、記録システムにおける‘作動中（ｏｎ  ｔｈｅ  ｆｌｙ）’に生成される。そのようなメタデータは再び生成されることが可能であるが、このことは、完全な映像データに実質的にアクセスし、そのデータを処理することを必要とする。メタデータはコンテンツに関連するユーザデータを有するため、通常、そのようなデータは記録担体におけるユーザデータ領域に記憶される。本発明者は、隠れた位置にメタデータを記憶することにより、記録された映像コンテンツデータが所定の記録フォーマットと尚も十分に互換性があり、既存の再生装置により読み出し及び再生されることができることを認識している。又、既存の記録装置は、通常、隠れた位置に上書きすることはできない。
【００１１】
本発明の装置の実施形態においては、制御手段が隠れた位置のような制御領域にメタデータを記録するために備えられ、その制御領域は、ディジタル的に符号化されたリアルタイム情報を有するための所定の記録フォーマットに従って備えられているデータ領域からは分離されている。このことは、データ領域が所定の記録フォーマットに従って自由に用いることができるという優位性を有している。それ故、メタデータを認識しない他の既存の記録装置であって、例えば、既存の装置又は競合レコーダが悪影響を及ぼされる又はメタデータを上書きするというリスクは小さい。
【００１２】
上記の装置の更なる実施形態においては、制御領域は、引き出し領域の前の所定の記録フォーマットに従って備えられたアンカーポイント近傍に、又は記録担体の記録可能領域の周辺近くの所定位置に位置決めされる。他のポイント近くに制御領域を位置決めすることは、既存装置による記憶領域の使用が制限されるという有利点を有する。記録単体の記録可能領域の周辺近くの所定位置に制御領域を更に位置決めすることは、そのような記録可能領域の一部が前記他のレコーダにより大部分が使用されないまま残っていて、それ故、上書きについてのリスクは制限されるという有利点を有する。
【００１３】
上記の装置の他の実施形態においては、制御領域は、所定の記録フォーマットに従って備えられた引き出し領域又は引き込み領域内の選択された領域に位置決めされ、その選択された領域は存在するが、所定の記録フォーマットに従って用いられる情報はいずれも有することなく、特に、その選択された領域はバッファ領域、予約領域又はガード領域である。このことは、そのような領域は常に必要とされ、前記他のレコーダにより悪影響を及ぼされないまま殆んど保たれる有利点を有する。
【００１４】
本発明の装置の実施形態においては、制御手段は、所定の記録フォーマットに従って備えられているリアルタイム記憶ユニット内のユーザデータパックに又データを記憶するために備えられ、そのリアルタイム記憶ユニットは復号化されたリアルタイム情報又はナビゲーション情報の所定のパックを有し、そして、その制御手段は、隠れた位置であって、特に、ユーザデータパック、所定のパックにおけるスタッフィング位置又はナビゲーションパックにおける予約フィールドにおけるユーザデータパックにポインタを記憶することにより、ユーザデータパックに対するアクセスを与えるために備えられ、又は、その制御手段は、所定位置において、又はその所定位置に記憶されるべき他の情報を所定の記録フォーマットが必要とする場合に所定位置近傍の位置において、前記記録中にユーザデータパックを特別に位置決めすることによりデータユーザパックへのアクセスを与えるために備えられている。ユーザデータパックの記憶はリアルタイム情報自体を記憶するためのデータ領域内に位置決めされているが、ユーザデータパックは所定の記録フォーマットに従って無視されることに留意する必要がある。所定の記録フォーマットの制御データのフレームワークにアクセス制御データは含まれないが、ユーザパックは、第１ユーザパックが見つけられるまで、リアルタイムデータの一部をスキャンすることにより位置決めされるようになっている。そのスキャンの労力は、例えば、論理アドレス又は映像ファイルの開始に対して、ユーザデータパック又は所定位置近傍に位置決めされることにより低減されることができる。これは、メタデータの位置きめが比較的容易である有利点を有する。
【００１５】
本発明の以上の及び他の特徴については、添付図面を参照している以下の詳細説明における実施例として説明している実施形態を更に読むことにより明らかになるであろう。
【００１６】
異なる図における対応する要素は同じ参照番号を有する。
【発明を実施するための最良の形態】
【００１７】
図１ａは、トラック９と中心孔１０とを有するディスク形状の記録担体１１を示している。情報を表す一連の記録されたマークの場所であるトラック９は、情報層において実質的に平行なトラックを有する螺旋パターンの回転に従って配列されている。光ディスクと呼ばれる記録担体は任意に読み出し可能であり、記録可能な種類の情報層を有している。読み出し可能ディスクの例としては、ＣＤ−Ｒ、ＣＤ−ＲＷ、ＤＶＤ＋ＲＷのようなＤＶＤの書き込み可能バージョン及びブルーレイディスク（ＢＤ）と呼ばれるブルーレーザを使用している高密度書き込み可能光ディスクがある。情報は、例えば、位相変化材料における結晶性又は非晶質性マーク等の、トラックに沿った光学的に検出可能なマークを記録することにより情報層に表される。記録担体の読み出し可能タイプであるトラック９は、ブランクの記録担体の製造中に与えられるプリエンボスされたトラック構造により示されている。そのトラック構造は、例えば、読み出し／書き込みヘッドがスキャン中にトラックに従うことが可能であるプリグルーブ１４により成る。そのトラック構造は、通常、情報ブロックと呼ばれる、情報の単位の位置を示すための場所情報であって、例えば、アドレスを有する。
【００１８】
図１ｂは、記録可能タイプの記録担体１１のラインｂ−ｂに沿った断面であり、その記録担体において、透明基板１５は記録層１６と保護層１７とを備えている。保護層１７は、例えば、記録層が０．６ｍｍの暑さの基板においてあり、更に、その背面側に０．６ｍｍの厚さの基板が接着されているＤＶＤにおけるように、更なる基板層を有することが可能である。プリグルーブ１４は、基板１５の材料の凹部又は凸部として、又はその周囲からずれた材料特性として実施することが可能である。
【００１９】
記録担体１１は、ＤＶＤフォーマットのような所定の記録フォーマットに従って記録されたＭＰＥＧ２の符号化映像情報のようなディジタル的に符号化された映像を現す情報を担持するように意図されている。ＤＶＤディスクに関する更なる詳細については、例えば、参照文献、ＥＣＭＡ−２６７：１２０ｍｍ  ＤＶＤ−Ｒｅａｄ−Ｏｎｌｙ  Ｄｉｓｃ−（１９９７）と対応するＤＶＤ映像記録規格を参照して、理解することができる。
【００２０】
図２は、書き込み可能又は再書き込み可能であるタイプの記録担体であって、例えば、ＣＤ−Ｒ、ＣＤ−ＲＷ、ＤＶＤ−ＲＷ又はＢＤに情報を書き込むための記録装置を示している。その装置は、記録担体１１を回転させるための駆動ユニット２１を有する、記録担体におけるトラックをスキャンするための記録手段と、ヘッド２２と、トラックの半径方向にヘッド２２を粗く位置決めするための位置決めユニット２５と、制御ユニット２０とを備えている。ヘッド２２は、記録担体の情報層のトラックにおける放射スポット２３にフォーカシングされた光学素子により案内される放射ビーム２４を生成するための既知のタイプの光学システムを有する。放射ビーム２４は、放射線源であって、例えば、レーザダイオードにより生成される。ヘッドは、（図示してはいないが、）前記ビームの光軸に沿って放射ビーム２４の焦点を移動させるためのフォーカシングアクチュエータと、トラックの中心の半径方向にスポット２３を微調整して位置決めするためのトラッキングアクチュエータとを更に有する。トラッキングアクチュエータは、光学素子を径方向に移動させるためのコイルを有することが可能であり、代替として、反射素子の角度を変えるために備えられることが可能である。情報を書き込むために、放射線は記録層における光学的に検出可能なマークを生成するために制御される。それらのマークは、いずれの光学的に読み取り可能フォームであって、例えば、色素、合金又は相変化材料のような材料に記録するときに得られる、周囲と異なる反射係数を有する領域のフォーム、又は、磁気光学材料に記録するときに得られる、周囲と異なる磁化方向を有する領域のフォームであることが可能である。読み込みに対して、情報層により反射された放射線は、読み取り信号と、前記トラッキング及びフォーカシングアクチュエータを制御するためのトラッキングエラー及びフォーカシングエラー信号を有する更なる検出器信号とを生成するためのヘッド２２における、通常タイプの検出器であって、例えば、四象限ダイオードにより検出される。読み出し信号は、情報を検索するために、復調器、デフォーマッタ及び出力ユニットを有する中将タイプの読み取り処理ユニット３０により処理される。それ故、情報を読み取るための検索手段は、駆動ユニット２１、ヘッド２２、位置決めユニット２２及び読み取り処理ユニット３０を有する。その装置は、入力ユニット２７を有する、ヘッド２２を駆動するための書き込み信号を生成するための入力情報を処理する書き込み処理手段と、フォーマッタ２８を有する変調器手段と、変調器２９とを有する。制御ユニット２０は情報の記録及び検索を制御し、ユーザからの又はホストコンピュータからのコマンドを受信するために備えられることが可能である。制御ユニット２０は、制御ライン２６であって、例えば、システムバスを介して、前記入力ユニット、フォーマッタ２８及び変調器２９に、読み取り処理ユニット３０に、駆動ユニット２１に及び位置決めユニット２５に接続される。制御ユニット２０は、下で説明するような本発明に従った機能および手段を実行するための制御回路構成であって、例えば、マイクロプロセッサ、プログラムメモリ及び制御ゲートを有する。制御ユニット２０は又、論理回路におけるステートマシンとして実施されることが可能である。入力ユニット２７は、音声及び／又は映像を情報の単位に処理し、それらの情報の単位は、例えば、エラー補正符号（ＥＣＣ）を付加すること及び／又はインターリーブすることにより、制御データを付加するため及びそのデータをフォーマットするためのフォーマッタ２８に渡される。コンピュータアプリケーションのために、情報の単位は、フォーマッタ２８に、直接、接続されることが可能である。フォーマッタ２８の出力によりフォーマットされたデータは変調ユニット２９に渡される。その変調ユニットは、例えば、ヘッド２２を駆動する変調信号を生成するためのチャネル符号化器を有する。更に、変調ユニット２９は、変調信号に同期パターンを有するための同期手段を有する。ユーザリアルタイム情報は入力ユニットに供給される。入力ユニット２７は、例えば、アナログ音声及び／又は映像若しくはディジタル非圧縮音声／映像のような入力信号のための圧縮手段を有することが可能である。適切な圧縮手段については、国際公開第９８／１６０１４号パンフレットにおいて音声について、ＭＰＥＧ２規格において映像について記載されている。入力信号は、それに代えて、既に符号化されていることが可能である。変調ユニット２９の入力に供給されるフォーマットされた単位はアドレス情報を有し、所定の記録フォーマットに従って制御ユニット２０の制御下で記録担体における対応するアドレス可能位置に書き込まれる。更に、テキストの状態で、そのようなフォーマットの例として、所定のＤＶＤ＋ＲＷの記録フォーマットに対して基準が作成されることに留意する必要がある。他の所定のフォーマットに対して、同様の隠れた位置を規定することができる。隠れた位置は記録担体における位置であり、それらの位置は、所定の記録フォーマットに従ってデータを記憶するためにアクセス可能ではない又はあまりアクセス可能ではない。
【００２１】
その装置は、記録されるべきリアルタイム情報についてのメタデータを収集するための入力ユニット２７に結合されるメタデータユニット３１を有する。メタデータユニットは、下で説明するように、制御ユニット２０の制御下で隠れた位置にメタデータを記憶するためのフォーマッタ２８に結合される。メタデータはマルチメディアコンテンツ（キーフレーム、コマーシャルエントリ、サイレンス、キーワード等）の特定の特徴を記述し、抽出アルゴリズムにより生成されることができ、又は、例えば、ブロードキャスティングにより又はインターネットのような他のソースにより、リアルタイムデータと共に供給されることが可能である。例えば、ブロードキャスタは、ブロードキャストか又はウェブサイトのどちらかにおいてチャプタ開始エントリのテーブルを供給することが可能である。メタデータエントリは、通常、マルチメディアフレーム又はフレームの群に接続され、エントリは、次のような有効な群に分類される。第１群は、エントリが個別フレーム（音声、映像又はテキストの一部の）を記述する離散的メタデータエントリである。それらの例は、キーフレーム、ブラックフレーム、非輝度フレーム等である。第２群はセグメントメタデータエントリであり、その群において、そのエントリは、マルチメディアコンテンツの連続部分、即ち、シーンを記述する。例としては、コマーシャル、サマリ、４：３／１６：９の文字用スペース、インターレース映像、プログレッシブ映像等がある。第３群は連続メタデータエントリであり、その群において、例えば、全てのフレームについての平均的／支配的カラー、フレームの標準サンプル、音声振幅等のメタデータが全てのシーケンスに対して記憶される。
【００２２】
入力ユニット２７への入力は、アナログ又はディジタルマルチメディア（例えば、Ａ／Ｖコンテンツ）であることが可能である。記録担体において、マルチメディアコンテンツは圧縮されたディジタルフォーマットであって、例えば、ＭＰＥＧ−２（プログラムストリーム、トランスポートストリーム等）の状態で記憶される。記録中、メタデータユニット３１はコンテンツに関するメタデータを収集し、ブロードキャストを受信し、又は、ネットワークからデータを積極的に取得する。次の場合について、考慮する必要がある。アナログ入力に対して、圧縮されたディジタルマルチメディアデータを生成する符号化器によりメタデータが生成されることができる。トランスコードディジタル入力に対して、ディジタルマルチメディア入力はトランスコードされ（例えば、ビットレート、それ故、ディスクの記録時間を制御するために）、トランスコーダはメタデータを生成することができる。トランスペアレントなディジタルマルチメディアに対して、受信されたディジタルコンテンツは修正を伴わずに記録される。この場合、入力コンテンツの一部の構文解析及び処理はメタデータを生成するために必要である。メタデータは、通常、エントリのシーケンスを有し、それらのエントリの各々は、次の情報、即ち、エントリタイプ（例えば、キーフレーム、ブラックフレーム、コマーシャルフレーム、サイレンス音声セグメント）、時間符合（任意）、スタートポインタ、エンドポインタ（任意）、データ（任意）の一部を有する。ディスクの位置又はファイルにおけるオフセットに基づくポインタに加えて、マルチメディアコンテンツに合わせてイベントがどこで起こるかを特定するためにポインタ及びタイムコード（例えば、ＭＰＥＧ−２ＰＴＳ）が記憶されることが可能である。メタデータを抽出するための適切な方法については、例えば、米国特許代６，１３７，５４４号明細書（シーン検出及びフレームフィルタリング９又は国際公開第９８／５５９４２号パンフレット（ビジュアルインデックス化システム）に記載されている。
【００２３】
その装置は、下で説明するように、隠れた位置から制御ユニット２０の制御下でメタデータを検索するためのメタデータ読み取りユニット３２を備えている。メタデータは、読み取りユニット３０により検索されるリアルタイム情報と結合させてユーザに提供される。メタデータは、ユーザがナビゲーション特徴（例えば、コマーシャルスキップ、キーフレームブラウジング、コンテンツ要約）をブラウジングすることを可能にするように提供される。
【００２４】
図２に示すような装置は読み取り及び再生機能を有することに留意されたい。代替として、記録担体から情報を検索するのみのための再生装置はスキャン素子と読み取り処理回路構成とを有するが、入力ユニット２７と、フォーマッタ２８と、変調器２９とメタデータユニット３１とを有しない。
【００２５】
図３は、オフセットにおいてアンカーポイント近傍にメタデータを記憶することを示している。ＤＶＤ＋ＲＷフォーマット記録可能領域の一部であって、特に、記録された部分の端部領域について、模式的に示している。記録担体のＤＶＤ＋ＲＷ記録可能領域の概観について、図５に示している。アンカーポイント近傍にメタデータを記憶することは、隠れた位置のような制御領域にメタデータを記録する実施形態であり、その制御領域は、ディジタル的に符号化された符号化リアルタイム情報を有するＤＶＤ＋ＲＷフォーマットに従って与えられるデータ領域から分離される。図３において、矢印３３は記録可能領域の上位部分を表している。主要ユーザのデータはデータ−映像領域３４に記憶され、そのデータ−映像領域３４はＶＲＭＩバックアップ３５により終端処理され、そのＶＲＭＩバックアップ３５は、第２ＡＶＤＰと呼ばれるアンカーポイント３７（に対して）前の所定位置における映像記録管理情報（ＶＲＭＩ：Ｖｉｄｅｏ  Ｒｅｃｏｒｄｉｎｇ  Ｍａｎａｇｅｒ  Ｉｎｆｏｒｍａｔｉｏｎ）のバックアップコピーであり、その第２ＡＶＤＰは一時的引き出し３８により後を続けられる。メタデータ３６はＶＲＭＩバックアップ３５の後に記憶される。その領域において記憶されたデータについての位置決め機構が推奨される。解決方法は、ＶＲＭＩバックアップから固定されたオフセット３９にメタデータファイルを記憶することである。ＤＶＤ＋ＲＷフォーマットは。データ−映像領域３４を終端処理する素子としてのＶＲＭＩバックアップを有し、それ故、メタデータ３６を上書きしない。約６ＭＢの全記憶空間は、ＶＲＭＩバックアップ及び他のファイル並びに第２アンカーポイントについて予約されている。これは、他のファイル（ＶＲＭＩバックアップと第２アンカーポイントとの間に位置決めされている）５．９３６ＭＢ（＝６ＭＢ−２＊３２ＫＢ）の記憶空間をもたらす。この領域は、ＤＶＤ−映像領域のサイズが変化しない限り、変わらないまま維持されるが、その領域は、ＤＶＤ−映像領域（記録された領域）が成長する度に新しい位置に記憶される。メタデータを認識しないレコーダにおいては、その領域において標準化された構造のみが記憶される一方、メタデータは維持されない。装置の実施形態においては、メタデータは、他の隠れた位置から回復又は再生され、記憶領域が移動されたことをその装置が検出するイベントにおいて新しい位置に再記憶される。
【００２６】
図４は、メタデータ位置ポインタを用いて、アンカーポイント近傍にメタデータを記憶することを示している。メタデータ３６は、ＶＲＭＩバックアップ３５の後に記憶される。その領域に記憶されたデータのための位置決め機構は次のようである。メタデータ位置ポインタ４０は、矢印４１で示しているように、第２アンカーポイントの前に位置決めされたメタデータファイル３６の位置を特定するために第２アンカーポイント３７の前に、直接、記憶される。
【００２７】
図５は、データ領域の外部の固定位置においてメタデータの記憶することを示している。ＤＶＤ＋ＲＷ読み取り可能領域は次のような関連領域を有する。ファイルシステムデータ５１は、最初のＤＶＤ＋ＲＷ映像データの前に、及び最後のＤＶＤ−ＲＷ映像データの後に任意に一部を位置決めされる。それは、ディスクにおけるＤＶＤ−映像メニューをどのタイプのレコーダが生成したかを特定するための情報を有する。第１ＡＶＤＰ（アンカーボリューム記述ポインタ）は、２５６個のＬＳＮ（論理セクタ数）の固定位置（図示せず）に記憶される。ＶＲＭＩ５２の後、ＤＶＤ−映像領域５３はリアルタイム情報を記憶することに繋がる。従って、図３を参照して上で説明したように、ＶＲＭＩバックアップ及び第２ＡＶＤＰ５４並びに一時的引き出し５５が続く。ＶＲＭＩバックアップは３２ＫＢのサイズを有する。それはエラー補正目的のためにＶＲＭＩの真のビットコピーを有する。第２ＡＶＤＰは第１ＡＶＤＰ（アンカーボリューム記述ポインタ）のバックアップコピーを有する。それは３２ＫＢのサイズを有し、第１ＡＶＤＰが読み取られることができないときに用いられることが可能である。引き込みにおける物理的フォーマット情報からデータ量域の端部の位置を読み取ることにより理解される。
【００２８】
メタデータファイル３６は、一時的引き出し５５を越えてＤＶＤ＋ＲＷ媒体の端部における物理的固定位置５６に位置決めされる。その固定位置は、メタデータ機能を支援する記録及び／又は再生装置に認識されている。ＤＶＤ＋ＲＷにおける有効な物理的位置は次のようである。ＤＶＤ＋ＲＷディスクはＣＬＶフォーマットされる。ＣＬＶフォーマットは全ての音声及び映像記録のために用いられる。ＣＬＶフォーマットされたＤＶＤ＋ＲＷは４７億バイト（４．３７ＧＢ）を保持する。ＤＶＤ＋ＲＷの１つのセクタは２ＫＢのサイズを有する。ＤＶＤ＋ＲＷの総セクタ数は、（４．３７＊１０２４＾２）／２＝２２９１１３８個に達する。２０ＭＢの記憶容量を有する（１０ＭＢ／時間のビデオデータ、標準差異性モードのＤＶＤ＋ＲＷにおいて２時間の映像）と仮定される。それ故、メタデータは物理的位置／セクタ２２８０００個（＝２２９１１３８−１００００）において記憶される必要がある。４．７ＧＢの最後の２０ＭＢが記録のために用いられ、それ故、殆どの場合に、他のレコーダがこの領域に損傷を与えないことは、非常に起こりそうもない。データの完全性は、ＣＲＣにより、下で説明する方法で調べられることができる。
【００２９】
図６は、メタデータ位置ポインタを用いて、データ領域外部の固定位置においてメタデータを記憶することを示している。ＤＶＤ＋ＲＷに従った記録可能領域について示しているが、それは図５に類似している。第２案カーポイント３７のすぐ前に、メタデータ位置ポインタ６１を有し、矢印６２で示すように、メタデータファイル３６の位置を指し示している。
【００３０】
図７は、所定の記録フォーマットの状態で記録可能領域の概観を示している。記録可能領域は引き込み領域７１から開始し、データ領域７２がそれに続き、最終的に、引き出し領域７３に達する。リアルタイム情報のようなユーザデータはデータ領域７２に記憶される。本発明に従って、リアルタイム情報のコンテンツを記述するメタデータは隠れた位置であって、特に、引き込み領域７１及び／又は引き出し領域７２に記憶される。ＤＶＤ＋ＲＷの引き込み領域及び引き出し領域のフォーマットは、ＤＶＤ＋ＲＷ映像規格（詳細については、図８及び図９参照）に厳密に規定されている。一部の領域は用いられないが（即ち、予約されており）、ここでは、メタデータを記憶するために用いられる。
【００３１】
図８は引き出し領域のコンテンツを示している。引き出し領域は、図７に示すように、情報領域の最も内側の領域である。図８に示すテーブルは種々の副領域及びセクタにおけるサイズを示している。１つのセクタは２ＫＢ（２０４８バイト）のユーザデータを有し、ＥＣＣブロックは１６個のセクタ（３２ＫＢ）を表している。各々の副領域の使用はＤＶＤ＋ＲＷ映像規格により規定されている。次のような副領域は、いずれの有効な使用を伴わない場合、空きのまま維持され、メタデータを記憶するために用いられることができる。それらの副領域は、バッファ領域１（４８０ｘ２ＫＢ）及びバッファ領域２（５１２ｘ２ＫＢ）である。引き込み領域における空き領域は全部で１９８４ＫＢであり、それはメタデータを記憶するために用いられることができる。
【００３２】
図９は引き出し領域のコンテンツを示している。引き出し領域は、図７に示している情報領域の最も外側の領域である。図９に示すテーブルは種々の副領域を示し、それらの副領域のサイズはセクタで表されている。次のような副領域は、いずれの有効な使用を伴わない場合、空きのまま維持され、メタデータを記憶するために用いられることができる。それらの副領域は、バッファ領域３（７６８ｘ２ＫＢ）、予約領域４（４０９６ｘ２ＫＢ）及びガード領域３（２４４００ｘ２ＫＢ）である。引き出し領域における空き領域は全部で６００６４ＫＢである。
【００３３】
図１０は、メタデータを記憶するためにユーザ規定パックを用いることを示している。ＤＶＤ−映像領域１００について模式的に示し、映像データはＶＯＢＵ１０１と呼ばれる記録ユニットにおけるＤＶＤ−映像領域に記憶される（図１４を参照して更に説明する）。ＶＯＢＵにおいては、ＤＶＤ−映像規格により規定されているパックのタイプに加えて、ユーザ規定パック（ＵＤ＿ＰＣＫ）と呼ばれる付加パック１０２、１０３が挿入されており、それらは、単一のユーザ規定パック１０２及び連続ユーザ規定パックのクラスタ１０３である。２ＫＢのユーザ規定パックは、ＦＦｈ（ＤＶＤ映像規格により規定されているプロバイダ規定ストリーム）と同等であるｓｕｂ＿ｓｔｒｅａｍ＿ｉｄを有する２０３４バイトのｐｒｉｖａｔｅ＿ｓｔｒｅａｍ＿１パケット（ＩＳＯ／ＩＥＣ１３８１８−１によりＭＰＥＧ２に対して規定されている）により後継される１４バイトのパックヘッダを有する。ＤＶＤ＋ＲＷフォーマット規格は、ＤＶＤ−映像において規定されたパケットと異なるｓｕｂ＿ｓｔｒｅａｍ＿ｉｄを持つｐｒｉｖａｔｅ＿ｓｔｒｅａｍ＿１パケットを有するパケットにおける新しいデータストリームタイプとプロバイダ規定ストリームを有するｐｒｉｖａｔｅ＿ｓｔｒｅａｍ＿１パケットを有するリアルタイムストリームにおけるパケットに対して適切な再生装置がロバストである必要があると規定している。記録フォーマットが予め規定されたＤＶＤ＋ＲＷに与えられた規定のために、メタデータは、ユーザ規定パックとして２０３４バイトのチャンクに記憶されることができる。
【００３４】
基本的概念は、記録の全体に亘ってユーザ規定パックの状態でメタデータを記憶することである。更に、ユーザ規定パックを位置決めすることは次のように編成される。記録されたものを単にスキャンすることは、メタデータパックを発見し/読み取ることが非常に時間を要するために実際的ではない。メタデータのユーザ規定パックについて必要な周波数を次に示す。実際の実施形態においては、メタデータの目的のために生成される実際の統計値は、合計で近似的に１５０バイト／フレームである。１００バイトは映像情報であり、５０バイトは音声情報である。２５ＨｚのＰＡＬフレームレートで１５０バイト／フレームにおいて、１秒当たり必要な記憶容量は、結果として
１５０バイト／フレーム＊２５フレーム／秒＝３７５０バイト／秒≧約２＊２ＫＢ  ＵＤ＿ＰＣＫ／秒
を得る。帯域幅がＡ／Ｖ情報について４Ｍｂ／秒（６００ＫＢ／秒）であると仮定すれば、１秒当たり必要な記憶容量は、Ａ／Ｖコンテンツに対して６００ＫＢであり、メタデータ統計値に対して２＊２ＫＢである。生成メタデータは、コンテンツを記録しながら、符号化器／復号化器側においてリアルタイムに生成される。これは、メタデータが、システムの判定遅延（フィルタ）のために、それらが属するコンテンツに関連して遅延されるメタデータを記憶することを意味する。インターリーブされたメタデータを用いて、ＤＶＤ−映像領域に記憶されたチュンクは、コンテンツの実際の再生のために適切なメタデータを有するように、再生におけるメタデータの情報をメモリに再記憶することを必要とする。
【００３５】
読み取り時間を改善するための実施形態においては、前のメタデータパックへの後方ポインタが各々のメタデータパックに含まれる。それ故、一旦、最後のパックが見つけられると、ドライブは、各々の前のパックにジャンプし、メタデータパックのみを読み取ることができる。他の実施形態においては又、前方ポインタは、データがディスクに書き込まれる前にデータをバッファリングし、前方ポインタを計算することにより含まれる。パック全てにおいては、第２の半分が存在するため、前方ポインタを生成するために第２の映像の半分をバッファリングすることのみが必要である。典型的には、第２の半分以上が、例えば、トリックプレイに対して、他の前方ポインタを生成するために、バッファリングされる。バッファ能力を超える前方ポインタのために、距離を予測することができ、次のＵＤ＿ＰＣＫは、この予測された位置に対してできるだけ近くに位置決めされることができる。予測される位置に記録するとき又はポインタ領域を拡張するために、利用可能である次のＵＤ＿ＰＣＫが存在しない場合、更なるポインタが、それに代えて、予測位置に記憶されることが可能である。
【００３６】
メタデータ量を減らすために、メタデータから導き出される特徴が生のメタデータの代わりに記憶される。これにより、必要なデータが著しく少なくなり、それ故、非常に速く読み取ることができるが、パックを見つける問題点が存在する。３０分毎の映像に対して単一のパックを有することは十分であることを前提とする。前のメタデータパックに連結するために後方ポインタを再び用いることができるが、開始するために最後のパックを見つける問題点が存在する。ユーザは記録の端部に対して記録することが可能であるため、記録の端部にメタデータパックを記憶することは十分でない。３０分毎にメタデータパックが存在することのみを認識している場合、システムはそのパックを探索するために映像を３０分間読み取る必要がある。これは、非常に時間を要する。
【００３７】
実施形態においては、メタデータを有するユーザ規定パックは、それぞれ記憶される。ユーザ規定パックのために低周波数を有することは、例えば、編集のためにそのようなパックの損失の影響が更に関連するようになることを意味する。そのような影響を回避するための解決方法は、新しいユーザ規定パックが利用可能になるまで、メタデータを有する最後のユーザ規定パックを定期的に繰り返すことである。後方ポインタ（下で説明する）は、現在のパックが繰り返されている前のパックではなく、異なるデータを有する前のパックを参照する。
【００３８】
メタデータの実施形態においては、他の隠れた位置に記憶されているメタデータへのポインタは、符号化されたリアルタイム情報内の隠れた位置であって、特に、ＭＰＥＧ−２の映像エレメンタリーストリームのユーザデータにおいて記録される。ＭＰＥＧ−２映像規格（ＩＳＯ／ＩＥＣ  １１１７２−２参照）は、例えば、ヘッダがユーザデータを有することが可能である、映像シーケンス、ＧＯＰ及びピクチャ等の、３つのエレメンタリー映像ストリームエンティティを規定する。ユーザデータは、符号化器により映像ストリームに挿入され、復号化器により検索される。そのような動作を実行するために、符号化器は、ストリームが符号化器から出た後に満たされるべき実際のデータと共に、ユーザデータの挿入、又は少なくともダミービットの挿入を支援する。ユーザデータの検索は復号化器の出力においてなされる。通常、復号化データのための復号化器の内部バッファの容量は限定されており、それ故、その動作は時間クリティカルである。符号化器／復号化器の映像ビットレートはユーザデータ挿入のときに劣化するため、挿入されるユーザデータのビットレートは、符号化器／復号化器に入力／出力映像を適切に処理させるように、特定の閾値未満に保たれる。しかしながら、挿入されるポインタ又はメタデータの限定された量に対して、十分な容量が利用可能である。
【００３９】
図１１は、所定の位置に位置決めされたメタデータを記憶するためにユーザ規定パックを使用することを示している。ＤＶＤ−映像領域１００において、タイトル１０９として表されている幾つかの映像タイトルの集合（ＶＴＳ）が記録されている。各々のタイトルは、メタデータを有するユーザ規定パックＵＤ＿ＰＣＫ１０２の数を有する。ＵＤ＿ＰＣＫは所定位置１１０に記憶される。各々の名目上の所定位置に対して、ＵＤ＿ＰＣＫが記憶される前に、遅延が可能である。第１ＵＤ＿ＰＣＫ１１１は、遅延を伴わずに所定位置に記憶され、第２ＵＤ＿ＰＣＫ１１２は、対応する所定位置決めの後、ある遅延を伴って記憶される。各々のタイトルに対する最後の所定位置を太い破線で示している。ユーザ規定パックの周波数及び特定の最大遅延を伴うそれらの物理的位置はそのシステムにより設定され、例えば、メタデータパックは、映像領域における特定のアドレスに常に記憶される。ユーザ規定パックは、それらの所定位置にＤＶＤ−映像領域を介して記憶される。特定の実施例においては、パケットヘッダのようなオーバーヘッド情報が、ユーザ規定パックが記憶されることができる前に、終了される必要があるとき、所定位置からのユーザ規定パックの特定のシフトが適用される。最大の遅延は、最後のユーザ規定パックを探索している間に、指定され、考慮されることができる。
【００４０】
図１２は、メタデータ及び後方ポインタを記憶するためにユーザ規定パックを用いることを示している。図１２は、図１１に類似する少なくとも１つのＵＤ＿ＰＣＫ１０２にメタデータを記憶することを示している。後方ポインタ１２０はメタデータとユーザ規定パックのチェーンを接続する。ユーザ規定パックは、単一ユニットとして又は複数のパックの束として記憶されることができる。その束におけるユーザ規定パックは、それらがその束の一部である情報を有する必要がある。特に、このことは、幾つかのパックが検索される必要があることを示すために、最後の所定位置にユーザ規定パックの束が存在する状態にとって必要である。同じ概念を、前方ポインタと共に用いることができる。
【００４１】
図１３は、ユーザ規定パックとスタッフィング位置におけるポインタとを示している。ユーザ規定パック１０２は、続くパックであって、例えば、映像パックの前に置かれた矢印により示されている。各々のパックはパックヘッダ１３０を有する。続くパックは、下で図１５を参照して説明するように、所定の記録フォーマットに従ってスタッフィングデータ１３１を有することが可能である。そのスタッフィングデータは、ユーザ規定パック１０２の開始に対してポインタ１３２を記憶するために隠れた位置として用いられる。それ故、前の又は次のインターリーブされたユーザ規定パックを見つけるために、この位置情報は、スタッフィングバイト（パック又はＰＥＳヘッダにおいて）又はパディングするためのパケットにおける他のパックに記憶される。実際には、スタッフィングバイト又はパディングのためのパケットの頻度は、この目的のためには非常に十分である。ポインタは、絶対位置ポインタか又は短い相対位置ポインタのどちらかである。
【００４２】
図１４は、ＤＶＤにおける映像を記録するための好適な記録フォーマットを示している。ＤＶＤ映像領域は、複数の映像オブジェクトの集合（ＶＯＢＳ）１４１を有する幾つかの映像タイトルの集合（ＶＴＳ）を有する。各々のＶＯＢＳ１４１は映像オブジェクト（ＶＯＢ）１４２の収集であり、各々のＶＯＢ１４２は映像オブジェクト単位（ＶＯＢＵ）１４４から成る複数のセル１４３に分割されている。各々のＶＯＢＵ１４４は一連のパックが記録順になっている。ＶＯＢＵは、厳密に１つのナビゲーションパック（ＮＶ＿ＰＣＫ）から開始し、複数の音声及び映像パック（Ａ＿ＰＣＫ，Ｖ＿ＰＣＫ）に続く。ＶＯＢＵは、典型的には、少なくとも０．４秒及びせいぜい１秒の映像表示期間を表示するピクチャの１つの群（ＧＯＰ）を有する。ＶＯＢＵの各々のパックはパックヘッダと実際のデータを有する１つ又はそれ以上のパケット（ＰＫＴ）を有する。パック長は２０４８バイトである。パック長が２０４８バイトより小さい場合、図１５に示す方法の１つのみに従って調整される。所定の記録フォーマットに従って、ＮＶ＿ＰＣＫは、パックヘッダ、システムヘッダ、ＰＣＩパケット（ＰＣＩ＿ＰＣＫ）及びＤＳＩパケット（ＤＳＩ＿ＰＣＫ）を有する。表示制御情報（ＰＣＩ）はＶＯＢＵの表示を制御するためのナビゲーションデータである。ＰＣＩは４つのデータ構造を有し、それらの２つはＰＣＩ＿ＧＩ及びＲＥＣＩであって、１２バイト及び１８バイトの予約フィールドをそれぞれ有し、それらは、実施形態においては、前の（次の）ユーザ規定パックに後方（前方）ポインタを記憶するために隠れた位置として用いられる。データサーチ情報（ＤＳＩ）はＶＯＢＵのシームレスな再生を実行し、検索するためのナビゲーションデータである。ＤＳＩは、ナビゲーションパック（ＮＶ＿ＰＣＫ）にあるＤＳＩパケット（ＤＳＩ＿ＰＫＴ）において記述されている。ＤＳＩは５つの情報を有し、４７１バイトがＤＳＩにおいて予約され、そのＤＳＩは、実施形態においては、前の（次の）ユーザ規定パックに後方（前方）ポインタを記憶するための隠れた位置として用いられる。ＮＶ＿ＰＣＫの高い及び一定の頻度のために、そのような解決方法は、ユーザ規定パックにおけるメタデータにポインタを記憶するために適切である。
【００４３】
実施形態においては、ＤＳＩ及びＰＳＩにおける予約バイトは、ユーザ規定パックを用いることに代えて、実際のメタデータ（ＶＯＢＵ当たりの予約バイト数の総数＝５０１バイト）を記憶するために用いられる。これは、それらの予約バイトが、一部を使用するように後に規定される場合、将来、問題点を与え得る。実施形態においては、メタデータバイトは長さパラメータ又はヘッダであって、例えば、用いられる数バイトにより先行される。これは、プレーヤがメタデータのために用いられるバイトと更に新しい規定バイトとを区別することを可能にする。
【００４４】
図１５は、メタデータを記憶するためのパケット内のスタッフィングデータ又はパディングデータを示している。ＤＶＤの所定の記録フォーマットに従って、パケット１５１、１５２はパックヘッダを有し、１つ又はそれ以上のパケットを有することが可能である。各々のパケットは、上位パック１５１に示すような実際のデータの少し前のパケットヘッダの端部において１乃至７つのスタッフィングバイトを有することが可能であるパケットヘッダを有する。代替として、パックは、下位パック１５２に示すように、８つ又はそれ以上のバイトをパディングするためのパケットを有することが可能である。スタッフィングデータか又はパディングデータのどちらかは、図１３を参照して説明するように、メタデータにポインタ又はメタデータを記憶するための隠れた位置として用いられることが可能である。
【００４５】
装置の実施形態においては、メタデータ３６の完全性が、メタデータファイルに周期的冗長度チェック符号（ＣＲＣ）を付加することにより制御される。ＣＲＣの合計は、どちらかの又は全体のメタデータファイルを計算することで求めることができ、又は、メタデータの一部であって、例えば、ブロック数に対して計算することで求めることができる。これは、メタデータファイルが複数のブロックに分割され、各々のブロックに対して、ＣＲＣチェックサムが生成されることを意味する。このような方法は、メタデータファイルが部分的に上書きされるときでさえ、残りのメタデータはそれにも拘らずに回復され、ブラウジング及びナビゲーション目的のために用いられ得ることを保証する。ブロックサイズにおけるトレードオフが設定される必要がある。大きいブロックは、より大きいデータの部分が失われるリスクを有し、小さいブロックは、ＣＲＣチェックのために必要な時間を増加させる。メタデータを検索するとき、ＣＲＣのチェックは、この領域のメタデータが尚も有効であるかどうかを明らかにする。
【００４６】
実施形態においては、メタデータファイルが、ＤＶＤ−データ領域（ＤＶＤ−映像領域＋第２アンカーポイント）と又はＤＶＤファイルシステムに既知の他のファイルと重なり合っているかどうかのチェックがなされる。重なり合っている場合、メタデータは無効であるとみなされる。
【００４７】
実施形態においては、図３乃至９を参照して説明するように、連続するメタデータファイルを記憶するのと同様に、メタデータは又、図１０乃至１５を参照して説明するように、Ａ／Ｖデータによりインターリーブされる記録可能光学媒体のＤＶＤ−映像領域に記憶される。連続するメタデータファイルが失われた場合、アプリケーションは、インターリーブされたメタデータ情報のチャンクからその連続するメタデータファイルを回復することができる。Ａ／Ｖデータの記録の開始／終了においてメタデータを記憶することは、ユーザがその開始又は終了に対して記録することができるために、ロバストでないことに留意されたい。それ故、メタデータは繰り返して記憶されることができる。
【００４８】
本発明は、ＤＶＤ＋ＲＷを用いる実施形態により、主に説明したが、所定の記録フォーマットを有するＢＤのような類似する実施形態は、メタデータの記憶を適用することに対して適切である。更に、そのような所定のフォーマットの将来のバージョンは、少なくとも隠れた記憶位置の一部を標準化し、それにより、所定の記録フォーマットの古いバージョンと共存することが可能であることに留意する必要がある。又、情報担体に対して、光ディスクについて説明したが、他の媒体であって、例えば、光磁気ディスク又は磁気テープを使用することができる。この明細書においては、用語‘を有する’は、列挙した要素又は段階以外の要素又は段階の存在を排除するものではなく、要素の単数表現はそのような要素の複数の存在を排除するものではなく、本発明はハードウェア及びソフトウェアの両方により実施することが可能であり、幾つかの‘手段’は同じハードウェアのアイテムにより表現されることが可能である。更に、本発明の特許請求の範囲は上記の実施形態に
限定されるものではなく、本発明は、上記の各々の及び全ての新規な特徴又はそれら特徴の組み合わせにある。
【図面の簡単な説明】
【００４９】
【図１ａ】記録担体を示す（平面）図である。
【図１ｂ】記録担体を示す（断面）図である。
【図２】本発明に従った、記録及び／又は再生装置を示す図である。
【図３】本発明に従って、オフセットにおけるアンカーポイント近傍にメタデータを記憶することを示す図である。
【図４】本発明に従って、メタデータを用いてアンカーポイント近傍にメタデータを記憶することを示す図である。
【図５】本発明に従って、データ領域の外側の固定位置にメタデータを記憶することを示す図である。
【図６】本発明に従って、メタデータ位置ポインタを用いてデータ領域の外側の固定位置にメタデータを記憶する他のオプションを示す図である。
【図７】所定の記録フォーマットで記録可能領域の概観を示す図である。
【図８】引き込み領域のコンテンツを示す図である。
【図９】引き出し領域のコンテンツを示す図である。
【図１０】本発明に従って、メタデータを記憶するためにユーザ規定パックを用いることを示す図である。
【図１１】本発明に従って、所定位置に位置決めされたメタデータを記憶するためにユーザ規定パックを用いることを示す図である。
【図１２】本発明に従って、メタデータ及び後方ポインタを記憶するためにユーザ規定パックを用いることを示す図である。
【図１３】本発明に従って、スタッフィング位置におけるユーザ規定パック及びポインタを示す図である。
【図１４】ＤＶＤに映像を記録するための所定の記録フォーマットを示す図である。
【図１５】本発明に従って、メタデータを記憶するためのパケットにおけるスタッフィングデータ又はパディングデータを示す図である。
2006523357.tif 000003
【図２】
2006523357.tif 000004
【図３】
2006523357.tif 000005
【図４】
2006523357.tif 000006
【図５】
2006523357.tif 000007
【図６】
2006523357.tif 000008
【図７】
2006523357.tif 000009
【図８】
2006523357.tif 000010
【図９】
2006523357.tif 000011
【図１０】
2006523357.tif 000012
【図１１】
2006523357.tif 000013
【図１２】
2006523357.tif 000014
【図１３】
2006523357.tif 000015
【図１４】
2006523357.tif 000016
【図１５】
2006523357.tif 000017
【国際調査報告】
2006523357.tif 000018
2006523357.tif 000019
2006523357.tif 000020